(57)【要約】【課題】優れた画像品質を有する画像表示システムを提供すること。【解決手段】画像表示システム１００は、透過状態と散乱状態とを切り替えることのできる画像表示領域Ｓ１を有するスクリーン２と、画像信号Ｉを処理する画像信号処理部４１０と、画像信号処理部４１０によって処理された画像信号Ｉに対応する画像をスクリーン２の画像表示領域Ｓ１に表示するプロジェクター３００と、を有し、画像信号処理部４１０は、画像信号Ｉに対して、該画像信号Ｉに対応する画像の外周部に含まれる画素の輝度を伸長する処理を行う。【選択図】図１
2013160839.tif 000002
【特許請求の範囲】
【請求項１】
光を透過させる透過状態と光を散乱させる散乱状態とを切り替えることのできる画像表示領域を有するスクリーンと、
入力された画像信号に対して所定の処理を行う画像信号処理部と、
前記画像信号処理部によって処理が行われた前記画像信号に対応する画像を前記スクリーンの前記画像表示領域に投射するプロジェクターと、を有し、
前記画像信号処理部は、前記画像信号に対応する画像の外周部に含まれる画素の輝度を伸長する処理を前記画像信号に対して行うことを特徴とする画像表示システム。
【請求項２】
前記画像表示領域の前記散乱状態となっている領域の輪郭と、前記画像表示領域に投射させる画像の輪郭とが一致している請求項１に記載の画像表示システム。
【請求項３】
前記スクリーンは、平面視において前記画像表示領域の外周を囲んで設けられた枠状の光透過部を有している請求項１または２に記載の画像表示システム。
【請求項４】
前記スクリーンは、前記画像表示領域内にて、平面視における前記散乱状態の領域の形状を変化させることができる請求項３に記載の画像表示システム。
【請求項５】
前記画像信号処理部は、前記画像信号に対応する画像の外周部に含まれる画素を白色とする処理を前記画像信号に対して行う請求項１ないし４のいずれかに記載の画像表示システム。
【請求項６】
前記画像信号処理部は、該画像信号に対応する画像の外周部に含まれる画素の色の明度を高くする処理を前記画像信号に対して行う請求項１ないし４のいずれかに記載の画像表示システム。
【請求項７】
前記画像信号処理部は、前記画素の色を、色相、彩度および明度からなるＨＳＶ表色系にて特定し、前記画素の色の明度を高める処理を行う請求項６に記載の画像表示システム。
【請求項８】
前記画像信号処理部は、前記画素の色の明度を最大値にする処理を行う請求項６または７に記載の画像表示システム。
【請求項９】
前記画像信号処理部は、前記画素の色の明度を高めるとともに彩度を補正する処理を行う請求項６ないし８のいずれかに記載の画像表示システム。
【請求項１０】
前記画像信号処理部は、前記画素の色が有する彩度に明度を掛けることにより、前記画素の色の彩度を補正する請求項９に記載の画像表示システム。
【請求項１１】
前記画像表示処理部は、前記画素の色が有する彩度と明度の積に対してガンマ補正を行うことにより、前記画素の色の彩度を補正する請求項１０に記載の画像表示システム。
【請求項１２】
前記スクリーンの前記画像表示領域は、高分子分散型液晶を含み、印加電圧の大きさによって前記透過状態と前記散乱状態とを切り替えることができる請求項１ないし１１のいずれかに記載の画像表示システム。
【請求項１３】
光を透過させる透過状態と光を散乱させる散乱状態とを切り替えることができる画像表示領域を有するスクリーンの駆動と、前記スクリーンの画像表示領域に画像を投射するプロジェクターへ画像信号を供給する制御装置であって、
入力された画像信号に対して所定の処理を行う画像信号処理部を有し、
前記画像信号処理部は、前記入力された画像信号に対応する画像の外周部に含まれる画素の輝度を伸長する処理を前記入力された画像信号に対して行い、
前記画像信号処理部によって処理された画像信号を前記プロジェクターに供給することを特徴とする制御装置。
【請求項１４】
光を透過させる透過状態と光を散乱させる散乱状態とを切り替えることができる画像表示領域を有するスクリーンの、当該画像表示領域に画像を投影するプロジェクターであって、
入力された画像信号に対して所定の処理を行う画像信号処理部を有し、
前記画像信号処理部は、前記入力された画像信号に対応する画像の外周部に含まれる画素の輝度を伸長する処理を前記入力された画像信号に対して行い、
前記画像信号処理部によって処理された画像信号に対応する画像を投射することを特徴とするプロジェクター。
【請求項１５】
光を透過させる透過状態と光を散乱させる散乱状態とを切り替えることができる画像表示領域を有し、当該画像表示領域にプロジェクターにより画像が投射されるスクリーンであって、
入力された画像信号に対して所定の処理を行う画像信号処理部を有し、
前記画像信号処理部は、前記入力された画像信号に対応する画像の外周部に含まれる画素の輝度を伸長する処理を前記入力された画像信号に対して行い、
前記画像信号処理部によって処理された画像信号を前記プロジェクターに供給することを特徴とするスクリーン。
【発明の詳細な説明】
【技術分野】
【０００１】
本発明は、画像表示システム、制御装置、プロジェクターおよびスクリーンに関するものである。
【背景技術】
【０００２】
近年、画像表示システムとして、高分子中に液晶を分散させた高分子分散型液晶表示素子をスクリーンとして用い、このスクリーンにプロジェクター等を用いて画像を表示する装置が注目されている（例えば、特許文献１）。
このようなスクリーンは、通常、液晶と高分子の屈折率の差を利用することにより透過状態と散乱状態とを切り替えることのできる画像表示領域と、画像表示エリアの周囲を囲む透明な枠領域とによって構成されている。そして、散乱状態とした画像表示エリアにプロジェクターから光を照射することによって所望の画像を表示する。
【０００３】
一方、スクリーンを使用しない場合、すなわちスクリーンに画像を表示させない場合には、スクリーン全面を透明しておくことができ、住環境や生活空間に対して圧迫感を与えないという利点がある。
ここで、画像中に例えば黒色などの低輝度領域が含まれる場合があるが、このような低輝度領域は、その周囲とのコントラストによって観察者に「低輝度領域」として認識されるため、低輝度領域とその周囲とのコントラストが高い程、より鮮明な低輝度領域として認識され、高い画像品質となる。
【０００４】
しかしながら、透明状態と散乱状態を切り替えることができるスクリーンに映像を投影する状況において、画像表示エリアの外周部に低輝度領域が存在する場合には、低輝度領域の周囲の少なくとも一部は、透明な枠領域越しに見える背景（景色）となる。背景によっても異なるが、背景は、一般的に自発光体のような高い輝度を有しておらず、そのため、低輝度領域とその周囲とのコントラストを十分に高めることができず、低輝度領域を鮮明に認識させるのが困難となる。そのため、画像品質が著しく低下するという問題がある。
【先行技術文献】
【特許文献】
【０００５】
【特許文献１】特開平６−８２７４８号公報
【発明の概要】
【発明が解決しようとする課題】
【０００６】
本発明の目的は、優れた画像品質を有する画像表示システム、制御装置、プロジェクターおよびスクリーンを提供することにある。
【課題を解決するための手段】
【０００７】
このような目的は、下記の本発明により達成される。
本発明の画像表示システムは、光を透過させる透過状態と光を散乱させる散乱状態とを切り替えることのできる画像表示領域を有するスクリーンと、
入力された画像信号に対して所定の処理を行う画像信号処理部と、
前記画像信号処理部によって処理が行われた前記画像信号に対応する画像を前記スクリーンの前記画像表示領域に投射するプロジェクターと、を有し、
前記画像信号処理部は、前記画像信号に対応する画像の外周部に含まれる画素の輝度を伸長する処理を前記画像信号に対して行うことを特徴とする。
【０００８】
これにより、スクリーンに表示される画像の外周部（輪郭部）に高輝度な輪郭線が表示されることとなる。このように、画像（輪郭線を除く部位）とその周囲との間に高輝度な輪郭線を介在させることによって、画像のコントラスト（コントラスト感）を高めることができるため、画像品質が向上する。特に、画像の外周部に黒色等の低輝度な領域（低輝度部）が存在する場合には、高輝度な輪郭線とのコントラストを利用して、低輝度部をより鮮明に細部まで観察者に視認させることができる。
【０００９】
本発明の画像表示システムでは、前記画像表示領域の前記散乱状態となっている領域の輪郭と、前記画像表示領域に投射させる画像の輪郭とが一致していることが好ましい。
これにより、より輪郭線の効果が発揮され、より画像品質が向上する。
本発明の画像表示システムでは、前記スクリーンは、平面視において前記画像表示領域の外周を囲んで設けられた枠状の光透過部を有していることが好ましい。
このような場合には、画像表示領域に表示された画像の周囲に、光透過部越しの背景が見えることとなる。背景は、一般的に暗い場合が多いが、このような場合にも画像と背景との間に高輝度な輪郭線が介在するため、画像表示領域に表示された画像のコントラスト（コントラスト感）が低下するのを防止できる。
本発明の画像表示システムでは、前記スクリーンは、前記画像表示領域内にて、平面視における前記散乱状態の領域の形状を変化させることができることが好ましい。
これにより、散乱状態の領域の輪郭と画像の輪郭とを一致させることができるため、上述した効果をより効果的に発揮することができる。
【００１０】
本発明の画像表示システムでは、前記画像信号処理部は、前記画像信号に対応する画像の外周部に含まれる画素を白色とする処理を前記画像信号に対して行うことが好ましい。
これにより、簡単な処理で高輝度な輪郭線を表示することができる。
本発明の画像表示システムでは、前記画像信号処理部は、該画像信号に対応する画像の外周部に含まれる画素の色の明度を高くする処理を前記画像信号に対して行うことが好ましい。
これにより、高輝度かつ自然な輪郭線を表示することができる。
【００１１】
本発明の画像表示システムでは、前記画像信号処理部は、前記画素の色を、色相、彩度および明度からなるＨＳＶ表色系にて特定し、前記画素の色の明度を高める処理を行うことが好ましい。
これにより、簡単な処理で、高輝度かつ自然な輪郭線を表示することができる。
本発明の画像表示システムでは、前記画像信号処理部は、前記画素の色の明度を最大値にする処理を行うことが好ましい。
これにより、輪郭線の輝度をより高めることができ、画像のコントラスト（コントラスト感）がより高まる。
【００１２】
本発明の画像表示システムでは、前記画像信号処理部は、前記画素の色の明度を高めるとともに彩度を補正する処理を行うことが好ましい。
これにより、高輝度かつより自然な輪郭線を表示することができる。
本発明の画像表示システムでは、前記画像信号処理部は、前記画素の色が有する彩度に明度を掛けることにより、前記画素の色の彩度を補正することが好ましい。
これにより、簡単な処理で、高輝度かつより自然な輪郭線を表示することができる。
【００１３】
本発明の画像表示システムでは、前記画像表示処理部は、前記画素の色が有する彩度と明度の積に対してガンマ補正を行うことにより、前記画素の色の彩度を補正することが好ましい。
これにより、高輝度かつより自然な輪郭線を表示することができるとともに、輪郭線の色を例えば観察者の好みに合わせて変化させることができるため利便性に優れたものとなる。
【００１４】
本発明の画像表示システムでは、前記スクリーンの前記画像表示領域は、高分子分散型液晶を含み、印加電圧の大きさによって前記透過状態と前記散乱状態とを切り替えることができることが好ましい。
これにより、簡単な構成で、散乱状態と透過状態とを切り替えることのできるスクリーンが得られる。
【００１５】
本発明の制御装置は、光を透過させる透過状態と光を散乱させる散乱状態とを切り替えることができる画像表示領域を有するスクリーンの駆動と、前記スクリーンの画像表示領域に画像を投射するプロジェクターへ画像信号を供給する制御装置であって、
入力された画像信号に対して所定の処理を行う画像信号処理部を有し、
前記画像信号処理部は、前記入力された画像信号に対応する画像の外周部に含まれる画素の輝度を伸長する処理を前記入力された画像信号に対して行い、
前記画像信号処理部によって処理された画像信号を前記プロジェクターに供給することを特徴とする。
これにより、例えばスクリーン等に優れた品質の画像を表示することのできる制御装置が得られる。
【００１６】
本発明のプロジェクターは、光を透過させる透過状態と光を散乱させる散乱状態とを切り替えることができる画像表示領域を有するスクリーンの、当該画像表示領域に画像を投影するプロジェクターであって、
入力された画像信号に対して所定の処理を行う画像信号処理部を有し、
前記画像信号処理部は、前記入力された画像信号に対応する画像の外周部に含まれる画素の輝度を伸長する処理を前記入力された画像信号に対して行い、
前記画像信号処理部によって処理された画像信号に対応する画像を投射することを特徴とする。
これにより、優れた画像品質を有するスクリーンを提供することができる。
【００１７】
本発明のスクリーンは、光を透過させる透過状態と光を散乱させる散乱状態とを切り替えることができる画像表示領域を有し、当該画像表示領域にプロジェクターにより画像が投射されるスクリーンであって、
入力された画像信号に対して所定の処理を行う画像信号処理部を有し、
前記画像信号処理部は、前記入力された画像信号に対応する画像の外周部に含まれる画素の輝度を伸長する処理を前記入力された画像信号に対して行い、
前記画像信号処理部によって処理された画像信号を前記プロジェクターに供給することを特徴とする。
これにより、例えばスクリーン等に優れた品質の画像を投射することのできるプロジェクターが得られる。
【図面の簡単な説明】
【００１８】
【図１】本発明の第１実施形態にかかる画像表示システムの平面図（概略図）である。
【図２】図１に示すスクリーンの平面図である。
【図３】図２に示すスクリーンの線断面図である。
【図４】図１に示すプロジェクターの光学系の構成を示す平面図である。
【図５】図１に示す画像表示システムの効果を説明する平面図である。
【図６】円柱状のＨＳＶ表色系を示すとともに、本発明の第２実施形態にかかる画像表示システムが行う処理を説明するための図である。
【図７】円錐状のＨＳＶ表色系を示すとともに、本発明の第３実施形態にかかる画像表示システムが行う処理を説明するための図である。
【図８】本発明の第４実施形態にかかる画像表示システムが有するスクリーンの断面図である。
【図９】図８に示すスクリーンに画像を表示した状態を示す平面図である。
【図１０】本発明の第５実施形態にかかる画像表示システムの平面図（概略図）である。
【図１１】本発明の第６実施形態にかかる画像表示システムの平面図（概略図）である。
【発明を実施するための形態】
【００１９】
以下、本発明の画像表示システム、制御装置、プロジェクターおよびスクリーンを図面に示す好適な実施形態に基づいて詳細に説明する。
＜第１実施形態＞
図１は、本発明の第１実施形態にかかる画像表示システムの平面図（概略図）、図２は、図１に示すスクリーンの平面図、図３は、図２に示すスクリーンの線断面図、図４は、図１に示すプロジェクターの光学系の構成を示す平面図、図５は、図１に示す画像表示システムの効果を説明する平面図である。
【００２０】
図１に示す画像表示システム１００は、スクリーン２と、スクリーン２に画像を投射（表示）するプロジェクター３００と、スクリーン２およびプロジェクター３００の駆動を制御する制御部（本発明の制御装置）４００とを有している。このような画像表示システム１００では、スクリーン２の背面（観察者と反対側の面）へ画像を投射する。なお、画像表示システム１００の構成としては、これに限定されず、スクリーン２の表面（観察者側の面）へ画像を投射してもよい。
【００２１】
以下、スクリーン２、プロジェクター３００および制御部４００について、順次詳細に説明する。
（スクリーン）
図２および図３に示すように、スクリーン２は、一対の透明基板２０、２１と、一対の透明電極２２、２３と、一対の透明基板２０、２１の間を封止する封止部２９とを有している。透明電極２２は、透明基板２０の透明基板２１側の面に形成されており、透明電極２３は、透明基板２１の透明基板２０側の面に形成されている。
【００２２】
透明基板２０、２１は、透明電極２２、２３および後述する配向膜２４１、２４２を支持する機能を有している。このような透明基板２０、２１の構成材料としては、特に限定されないが、例えば、石英ガラス等のガラスやポリエチレンテレフタレート等のプラスチック材料等が挙げられる。この中でも特に、石英ガラス等のガラスで構成されたものであるのが好ましい。これにより、反り、撓み等の生じにくい、より安定性に優れたスクリーン２を得ることができる。
また、透明電極２２、２３は、導電性を有しており、例えば、インジウムティンオキサイド（ＩＴＯ）、インジウムオキサイド（ＩＯ）、酸化スズ（ＳｎＯ２）等で構成されている。
【００２３】
スクリーン２は、その平面視にて、透明基板２０、２１の縁部を除く中央部に設定された画像表示領域Ｓ１と、透明基板２０、２１の縁部に設定され、画像表示領域Ｓ１の周囲を囲む枠状の非画像表示領域（光透過部）Ｓ２とを有している。なお、非画像表示領域Ｓ２は、封止部２９に対応した領域として形成されている。
画像表示領域Ｓ１は、プロジェクター３００によって画像が表示される領域であり、非画像表示領域Ｓ２は、画像が表示されず、透明な状態（透過状態）が維持される領域である。すなわち、画像表示領域Ｓ１に画像が表示されているか否かに関わらず、非画像表示領域Ｓ２は、透明な状態を維持する。
【００２４】
図３に示すように、画像表示領域Ｓ１には、透明基板２０、２１の間に、一対の配向膜２４１、２４２と、これら配向膜２４１、２４２の間に位置する液晶層２５とが配置されている。配向膜２４１、２４２は、例えばポリイミド等からなる膜にラビング処理等の配向処理を施したものである。
液晶層２５は、ＰＤＬＣ（高分子分散型液晶）２５１を含んでいる。このような液晶層２５は、透過状態と光散乱状態とを印加電界の強度により切替えることができる。ＰＤＬＣ２５１は、高分子部２５２と液晶部２５３とを含んでおり、例えば、液晶性モノマー等の高分子前駆体と液晶分子との混合物により形成することができる。ＰＤＬＣ２５１を形成するには、混合物を配向膜２４１、２４２により配向させた状態で、混合物に紫外線光等のエネルギーを照射して液晶性モノマーを重合させる。すると、液晶性モノマーは、配向を保持したまま重合し、配向規制力を有する高分子部２５２になる。液晶分子は、高分子部２５２から相分離されて液晶部２５３を構成し、高分子部２５２の配向規制力により配向する。
【００２５】
本実施形態のＰＤＬＣ２５１はリバース型である。そのため、第１の液晶層２５は、電圧非印加状態において光透過性を有する透過状態となり、電圧印加状態において光散乱性（拡散性）を有する散乱状態となる。
具体的には、電圧非印加状態においては、液晶部２５３と高分子部２５２との間で屈折率が連続しており、ＰＤＬＣ２５１に入射した光はほとんど拡散されずに射出され、透過状態となる。反対に、電圧印加状態では、高分子部２５２では高分子に方位角が変化しないのに対して、液晶部２５３では液晶分子の方位角が電界に応じて変化する。これにより、高分子部２５２と液晶部２５３との間で屈折率が不連続に変化し、入射した光が散乱されて射出され、散乱状態となる。
【００２６】
このような構成のスクリーン２では、透明電極２２、２３間に電圧を印加することによって、画像表示領域Ｓ１に電界が作用する。したがって、透明電極２２、２３間に電圧を印加して電界発生状態とすれば画像表示領域Ｓ１が散乱状態となり、電圧の印加を停止して電界非発生状態とすれば画像表示領域Ｓ１が透過状態となる。なお、前記「電界非発生状態」とは、電界が全く発生していない状態のみならず、一対の透明電極２２、２３間に、電界発生状態にて印加される電圧よりも弱い電圧が印加され、電界発生状態と比較して強度の小さい電界が発生している場合も含む。
【００２７】
電界発生状態では、画像表示領域Ｓ１が散乱状態となるため、画像表示領域Ｓ１へ画像を表示することができる（この状態を「散乱状態」とも言う）。反対に、電界非発生状態では、画像表示領域Ｓ１が透過状態となり、スクリーン２の全面が透明な状態となる（この状態を「透過状態」とも言う）。そのため、スクリーン２を使用しない場合には、スクリーン２を電界非発生状態として透明としておくことにより、例えば、スクリーン２を生活空間にて使用する場合に、スクリーン２が与える圧迫感を低減することができる。
【００２８】
このようなスクリーン２は、電圧非印加時に全面が透明となるため、スクリーン２に画像を表示している時間（スクリーン２を使用する時間）が、スクリーン２に画像を表示しない時間（スクリーン２を使用しない時間）よりも短い用途に用いるのが好ましい。これにより、スクリーン２の省電力駆動が可能となる。
なお、上述したスクリーン２では、電圧印加のＯＮ／ＯＦＦで散乱状態と透過状態とを切り替えているが、例えば、印加する電圧の大きさによって散乱状態と透過状態とを切り替えるような構成であってもよい。
【００２９】
（プロジェクター）
プロジェクター３００としては、スクリーン２に画像を表示することができれば、特に限定されず、例えば、スクリーン２へ画像光を投射する投射型のプロジェクターや、スクリーン２に光を走査して画像を形成する走査型のプロジェクターであってもよい。以下に、投射型のプロジェクター３００の一例を示す。
【００３０】
図４は、プロジェクター３００の光学系の構成を示す平面図である。図４に示すプロジェクター３００は、照明光学系３１０と、色分離光学系３２０と、平行化レンズ３３０Ｒ、３３０Ｇ、３３０Ｂと、空間光変調装置３４０Ｒ、３４０Ｇ、３４０Ｂと、光合成部であるクロスダイクロイックプリズム３５０とを備えている。
照明光学系３１０は、光源３１１と、リフレクタ３１２と、第１のレンズアレイ３１３と、第２のレンズアレイ３１４と、偏光変換素子３１５と、重畳レンズ３１６とを有している。
【００３１】
光源３１１は、超高圧水銀ランプであり、リフレクタ３１２は、放物面鏡を有して構成されている。光源３１１から射出された放射状の光束は、リフレクタ３１２で反射されて略平行光束となり、第１のレンズアレイ３１３へと射出される。なお、光源３１１としては、超高圧水銀ランプに限らず、例えばメタルハライドランプ等を採用してもよい。また、リフレクタ３１２としては、放物面鏡に限らず、楕円面鏡からなるリフレクタの射出面に平行化凹レンズを配置した構成を採用してもよい。
【００３２】
第１のレンズアレイ３１３および第２のレンズアレイ３１４は、小レンズをマトリクス状に配列して形成されている。光源３１１から射出された光束は、第１のレンズアレイ３１３によって複数の微小な部分光束に分割され、各部分光束は、第２のレンズアレイ３１４および重畳レンズ３１６によって照明対象である３つの空間光変調装置３４０Ｒ、３４０Ｇ、３４０Ｂの表面で重畳される。
偏光変換素子３１５は、ランダム偏光の光束を一方向に振動する直線偏光（Ｓ偏光若しくはＰ偏光）に揃える機能を有しており、本実施形態では、色分離光学系３２０での光束の損失が少ないＳ偏光に揃えている。
【００３３】
色分離光学系３２０は、照明光学系３１０から射出された光束を、赤色（Ｒ）光、緑色（Ｇ）光、青色（Ｂ）光の３色の色光に分離する機能を有しており、Ｂ光反射ダイクロイックミラー３２１、ＲＧ光反射ダイクロイックミラー３２２、Ｇ光反射ダイクロイックミラー３２３、および反射ミラー３２４、３２５を備えている。
照明光学系３１０から射出された光束のうち、Ｂ光の成分は、Ｂ光反射ダイクロイックミラー３２１によって反射され、さらに反射ミラー３２４、３６１によって反射されて平行化レンズ３３０Ｂに至る。一方、照明光学系３１０から射出された光束のうち、Ｇ光、Ｒ光の成分は、ＲＧ光反射ダイクロイックミラー３２２によって反射され、さらに反射ミラー３２５によって反射されてＧ光反射ダイクロイックミラー３２３に至る。その中のＧ光の成分は、Ｇ光反射ダイクロイックミラー３２３および反射ミラー３６２に反射されて平行化レンズ３３０Ｇに至り、Ｒ光の成分は、Ｇ光反射ダイクロイックミラー３２３を透過して、反射ミラー３６３に反射されて平行化レンズ３３０Ｒに至る。
【００３４】
平行化レンズ３３０Ｒ、３３０Ｇ、３３０Ｂは、照明光学系３１０からの複数の部分光束を、空間光変調装置３４０Ｒ、３４０Ｇ、３４０Ｂをそれぞれ照明するように各部分光束が、それぞれ略平行な光束となるように設定されている。
平行化レンズ３３０Ｒを透過したＲ光は、空間光変調装置３４０Ｒに至り、平行化レンズ３３０Ｇを透過したＧ光は、空間光変調装置３４０Ｇに至り、平行化レンズ３３０Ｂを透過したＢ光は、空間光変調装置３４０Ｂに至る。
【００３５】
空間光変調装置３４０Ｒは、Ｒ光を画像信号に応じて変調する空間光変調装置であって、透過型液晶表示装置である。空間光変調装置３４０Ｒに設けられた図示しない液晶パネルは、２つの透明基板の間に、光を画像信号に応じて変調するための液晶層を封入している。空間光変調装置３４０Ｒで変調されたＲ光は、色合成光学系であるクロスダイクロイックプリズム３５０へ入射する。なお、空間光変調装置３４０Ｇ、３４０Ｂの構成および機能は、空間光変調装置３４０Ｒと同様である。
【００３６】
クロスダイクロイックプリズム３５０は、三角柱状の４つのプリズムを貼り合わせることにより、略正方形断面の角柱状に形成されたものであり、Ｘ字状の貼り合わせ面に沿って誘電体多層膜３５１、３５２が設けられている。誘電体多層膜３５１は、Ｇ光を透過してＲ光を反射し、誘電体多層膜３５２は、Ｇ光を透過してＢ光を反射する。そして、クロスダイクロイックプリズム３５０は、空間光変調装置３４０Ｒ、３４０Ｇ、３４０Ｂから出射された各色光の変調光をそれぞれ入射面３５０Ｒ、３５０Ｇ、３５０Ｂから入射して合成し、カラー画像を表す画像光を形成し、投写光学部３６０に射出する。
これにより、プロジェクター３００から、直線偏光であり、加法混合された映像光Ｌが出射される。
【００３７】
（制御部）
図１に示すように、制御部（本発明の制御装置）４００は、例えば、パーソナルコンピューター５００からの画像信号Ｉに所定の処理を行い、処理して得られた画像信号Ｉ’をプロジェクター３００へ送信する画像信号処理部４１０と、パーソナルコンピューター５００からの信号に基づいてスクリーン２の駆動（ＯＮ／ＯＦＦ）を制御するスクリーン制御部４２０とを有している。画像信号処理部４１０からの画像信号を受けたプロジェクター３００は、その画像信号に基づく映像光Ｌを出射する。
【００３８】
このような制御部４００は、画像信号処理部４１０からプロジェクター３００へ画像信号Ｉ’を出力するのに対応させて、スクリーン制御部４２０によってスクリーン２の駆動を制御するように構成されている。具体的には、制御部４００は、画像信号処理部４１０から画像信号Ｉ’を出力していない状態では、スクリーン制御部４２０によってスクリーン２を透過状態とする。反対に、制御部４００は、画像信号処理部４１０から画像信号Ｉ’を出力している状態では、スクリーン制御部４２０によってスクリーン２を散乱状態とする。
【００３９】
このような制御によれば、プロジェクター３００から映像光Ｌが出射されていないとき、すなわちスクリーン２に表示する画像が存在しないときには、スクリーン２を透過状態とすることができる。また、プロジェクター３００から映像光Ｌが出射されているときは、スクリーン２を散乱状態とすることができ、スクリーン２に画像光Ｌに対応する画像を表示することができる。すなわち、簡単な制御によって、スクリーン２に画像が表示されているとき以外は、スクリーン２を透過状態とすることができ、省電力化を図ることができるとともに、生活空間へ与える圧迫感を低減することができる。
【００４０】
画像信号処理部４１０は、パーソナルコンピューター５００からの画像信号Ｉに次のような処理を加えることにより画像信号Ｉ’を生成する。なお、以下では、画像表示領域Ｓ１の全域に画像Ｇが表示される場合、すなわち、画像表示領域Ｓ１の輪郭と、画像表示領域Ｓ１に表示される画像Ｇの輪郭とがほぼ一致する場合について説明する。
画像信号処理部４１０は、画像Ｇの外周部（輪郭部）に含まれる各画素Ｐの輝度を伸長する（高める）処理、具体的には各画素Ｐに表示される色を白色に変更する処理を画像信号Ｉに対して行う。なお、前記外周部の幅は、特に限定されず、例えば、画素１〜５つ分の幅とすることができる。また、具体的な数値で示せば、例えば、０．２ｍｍ〜２ｍｍ程度とすることができる。
【００４１】
例えば、パーソナルコンピューター５００からの画像信号（輝度信号）Ｓに、各画素Ｐの色情報が、Ｒ（赤）、Ｇ（緑）、Ｂ（青）それぞれ８ビット（０〜２５５）、計２４ビットの情報として格納されている場合には、画像信号処理部４１０は、各画素Ｐの情報をＲ、Ｇ、Ｂすべての輝度を最大値とする、すなわち（Ｒ：２５５、Ｇ：２５５、Ｂ：２５５）とする処理を画像信号Ｉに対して行い、当該処理によって、新たな画像信号Ｉ’を生成する。
【００４２】
このように生成された画像信号Ｉ’をプロジェクター３００に送信し、プロジェクター３００によって、画像信号Ｉ’に対応する画像Ｇを画像表示領域Ｓ１に表示すると、図５に示すように、画像Ｇの外周部（すなわち、画像表示領域Ｓ１の外周部）に高輝度な白色の輪郭線Ｌ１が現れ、画像Ｇが輪郭線Ｌ１によって囲まれた状態となる。すなわち、画像Ｇ（輪郭線Ｌ１を除く部分）と非画像表示領域Ｓ２との間に、白色の輪郭線Ｌ１が介在することとなる。
【００４３】
ここで、図５に示すように、画像Ｇには、黒色などの低輝度領域ＳＬＯＷがその外周に接するように存在する場合がある。このような場合には、上述のようにして輪郭線Ｌ１を形成し、低輝度領域ＳＬＯＷと輪郭線Ｌ１とのコントラストを高めることによって、低輝度領域ＳＬＯＷをより鮮明に認識させることができる。これにより、低輝度領域ＳＬＯＷの輝度を十分に低く維持したまま、低輝度領域ＳＬＯＷ内の細部の画像をも視認させることができるようになる。すなわち、画像表示システム１００によれば、優れた品質を有する画像Ｇをスクリーン２に表示することができる。
【００４４】
なお、従来のように輪郭線Ｌ１が存在しない場合には、画像Ｇの外周部に存在する低輝度領域ＳＬＯＷと非画像表示領域Ｓ２とが隣り合うこととなる。非画像表示領域Ｓ２は、透明であるため、非画像表示領域Ｓ２には、非画像表示領域Ｓ２越しの背景が映り込む。前記背景は、一般に明度が低いことが多く、このような明度の低い背景と低輝度領域ＳＬＯＷとが並んでも、これらのコントラストを高くできず、鮮明な低輝度領域ＳＬＯＷとして認識させることができなくなる。そのため、画像品質が著しく低下する。
【００４５】
＜第２実施形態＞
次に、本発明の画像表示システムの第２実施形態について説明する。
図６は、円柱状のＨＳＶ表色系を示すとともに、本発明の第２実施形態にかかる画像表示システムが行う処理を説明するための図である。
以下、第２実施形態の画像表示システムについて、前述した実施形態との相違点を中心に説明し、同様の事項については、その説明を省略する。
本発明の第２実施形態にかかる画像表示システムは、画像信号処理部の画像信号の処理方法が異なる以外は、前述した第１実施形態と同様である。なお、前述した第１実施形態と同様の構成には、同一符号を付してある。
【００４６】
本実施形態の画像信号処理部４１０は、画像信号Ｉに対して、画像Ｇの外周部に含まれる各画素Ｐの輝度を伸長する処理を行う。具体的には、画像信号処理部４１０は、各画素Ｐの色の明度Ｖを伸長する処理を行う。色は、色相（Ｈ）、彩度（Ｓ）、明度（Ｖ）の３つの成分で表すことができ、一般的には、図６に示すような円柱モデルのＨＳＶ表色系で表すことができる。色相Ｈは、円柱の外周に沿って変化し、０〜３６０の範囲で表される。彩度Ｓは、円柱の中心からの距離に伴って変化し、０．０〜１．０で表される。明度Ｖは、円柱の高さ方向に沿って変化し、０．０〜１．０で表される。そして、これら３つの成分の組み合わせ（Ｈ、Ｓ、Ｖ）で所定の色が決定される。
【００４７】
パーソナルコンピューター５００からの画像信号Ｉに含まれる各画素Ｐの色情報は、（Ｒ、Ｇ、Ｂ）で定義されているため、画像信号処理部４１０は、まず、各画素Ｐの色情報を（Ｈ、Ｓ、Ｖ）に変換する。なお、（Ｒ、Ｇ、Ｂ）から（Ｈ、Ｓ、Ｖ）への変換は、公知の方法（公知の数式）を用いて簡単に行うことができる。そのため、その変換の方法については、説明を省略する。
【００４８】
次に、画像信号処理部４１０は、各画素Ｐの色の明度Ｖを伸長する（高める）補正を行う。具体的には、図６に示すように、所定の画素Ｐの色の明度Ｖが０．５程度の場合、色相Ｈ、彩度Ｓの値を変化させないまま、明度Ｖの値を最大の１．０とする。これにより、前記所定の画素Ｐの色が（Ｈ、Ｓ、Ｖ）から（Ｈ、Ｓ、Ｖ’）に変換され、変換後の色は、変換前の色に対して明るい色となる。画像信号処理部４１０は、このような処理を各画素Ｐについて行う。
【００４９】
次に、画像信号処理部４１０は、各画素Ｐについて、（Ｈ、Ｓ、Ｖ’）を（Ｒ、Ｇ、Ｂ）に変換する。これにより、画素信号Ｓに対して各画素Ｐの輝度が伸長された画像信号Ｉ’が生成される。なお、（Ｈ、Ｓ、Ｖ’）から（Ｒ、Ｇ、Ｂ）への変換は、公知の方法（公知の数式）を用いて簡単に行うことができる。そのため、その変換の方法については、説明を省略する。
【００５０】
以上のような変換の一例を挙げると、例えば、Ｒ、Ｇ、Ｂ各８ビット（０〜２５５）の場合であって、（Ｒ、Ｇ、Ｂ）＝（１２５、１２、２００）で表される色は、明度Ｖを１．０とする処理によって、（Ｒ、Ｇ、Ｂ）＝（１５９、１５、２５５）で表される色となり、処理前と比較してその輝度が伸長されている。
このように生成された画像信号Ｉ’をプロジェクター３００に送信し、プロジェクター３００によって、画像信号Ｉ’に対応する画像Ｇを画像表示領域Ｓ１に表示すると、画像Ｇの外周部に高輝度な輪郭線Ｌ１が形成される。そのため、前述した第１実施形態と同様に、低輝度領域ＳＬＯＷと輪郭線Ｌ１とのコントラストによって、より鮮明な低輝度領域ＳＬＯＷとして観察者に認識させることができる。このように、画像表示システム１００によれば、優れた品質を有する画像をスクリーン２に表示することができる。
【００５１】
このような第２実施形態によれば、元画像（画像信号Ｉに対応する画像）の外周部の色相を維持したまま高輝度な輪郭線Ｌ１を形成することができる。そのため、例えば、第１実施形態のように輪郭線Ｌ１を一様に白色とする場合と比較して、元画像の色相的印象を損ねることがない。これにより、元画像に対して自然な印象を維持しつつ、外周部に存在する低輝度領域のコントラストを高めることができる。
【００５２】
特に、本実施形態では、各画素Ｐの色の明度Ｖを最大値の１．０に変換するため、より高輝度な輪郭線Ｌ１を形成することができ、より鮮明に低輝度領域を観察者に認識させることができる。また、ＨＳＶ表色系を用いて明度Ｖを変換することにより、画素Ｐの輝度を伸長する処理を簡単に行うことができる。
なお、本実施形態の処理は、例えば、明度Ｖが０．５以上である色の場合に特に有効である。
このような第２実施形態によっても、第１実施形態と同様の効果を発揮することができる。
【００５３】
＜第３実施形態＞
次に、本発明の画像表示システムの第３実施形態について説明する。
図７は、円錐状のＨＳＶ表色系を示すとともに、本発明の第３実施形態にかかる画像表示システムが行う処理を説明するための図である。
以下、第３実施形態の画像表示システムについて、前述した実施形態との相違点を中心に説明し、同様の事項については、その説明を省略する。
本発明の第３実施形態にかかる画像表示システムは、画像信号処理部の画像信号の処理方法が異なる以外は、前述した第１実施形態と同様である。なお、前述した第１実施形態と同様の構成には、同一符号を付してある。
【００５４】
本実施形態の画像信号処理部４１０は、画像信号Ｉに対して、画像Ｇの外周部に含まれる各画素Ｐの輝度を伸長する処理を行う。具体的には、画像信号処理部４１０は、画像Ｇの外周部に含まれる各画素Ｐの色の明度Ｖを伸長する（高める）処理を行うとともに、明度Ｖの値に応じて彩度Ｓを補正している。すなわち、前述した第２実施形態の処理に、さらに、彩度Ｓの補正を加えた処理を行っている。
【００５５】
例えば、このような処理は、前述した第２実施形態の処理を行うと、不自然な画像となってしまう場合に有効である。以下、具体的に、画像Ｇの外周に接する低輝度領域ＳＬＯＷが存在し、当該低輝度領域ＳＬＯＷに含まれる画素Ｐの色が、明度Ｖが小さくかつ彩度Ｓの大きい色、例えば、（Ｒ、Ｇ、Ｂ）＝（１１、２５、２０）で表される色の場合を例に挙げて説明する。
【００５６】
（Ｒ、Ｇ、Ｂ）＝（１１、２５、２０）で表される色は、観察者には、ほとんど黒色として視認される。このような色について、前述した第２実施形態のように明度Ｖを１．０とする処理を行うと、処理後の色は、（Ｒ、Ｇ、Ｂ）＝（１１２、２５５、２０５）で表される色となる。（Ｒ、Ｇ、Ｂ）＝（１１２、２５５、２０５）で表される色は、ライトグリーンに相当する色である。このように、処理前の色は、ほとんど無彩色であったのが、処理後には、鮮明な色彩を有する有彩色となる。そして、このような有彩色でなる輪郭線Ｌ１が低輝度領域ＳＬＯＷと隣り合うことによって、これらの境界が不自然となり、全体として違和感のある画像Ｇとなってしまう場合がある。
【００５７】
このような場合には、画像信号Ｉに対して本実施形態のような処理を行う方がよい。以下、本実施形態の画像信号Ｉに対する処理を説明する。
本実施形態では、画像Ｇの外周部に含まれる各画素Ｐの色の明度Ｖを伸長する処理を行うとともに、明度Ｖの値に応じて彩度Ｓを小さく補正する処理を行う。具体的には、まず、画像信号処理部４１０は、第２実施形態と同様にして、各画素Ｐの色情報（Ｒ、Ｇ、Ｂ）を円柱モデルのＨＳＶ表色系である（Ｈ、Ｓ、Ｖ）に変換する。
【００５８】
次に、画像信号処理部４１０は、（Ｈ、Ｓ、Ｖ）をさらに図７に示す円錐モデルのＨＳＶ表色系である（Ｈ、Ｓ’、Ｖ）に変換する。なお、Ｓ’は、Ｓ×Ｖ（ＳとＶの積）にて求めることができる。このように、円柱状のＨＳＶ表色系から円錐状のＨＳＶ表色系に変換することにより、すなわち、彩度Ｓに明度Ｖを掛けることにより、彩度Ｓを小さくする処理を行うことにより、彩度Ｓの補正を簡単に行うことができる。
【００５９】
さらに、必要に応じて、Ｓ’をガンマ（γ）補正してＳ”とし、（Ｈ、Ｓ’、Ｖ）を（Ｈ、Ｓ”、Ｖ）に変換する。ガンマ補正は、Ｓ”＝（Ｓ’）１／γなる公式にて行うことができる。γ＝１であれば、Ｓ”は、図７中の実線ａ上に位置し、反対に、γ＞１であればＳ”は、図７中の破線ｂ上に位置し、γ＜１であれば図７中の破線ｃ上に位置する。γの値は、観察者の好みに合わせて適宜設定することができるため、より適した処理を選択することができる。そのため、画像表示システム１００の利便性が向上する。
【００６０】
次に、画像信号処理部４１０は、（Ｈ、Ｓ”、Ｖ）の明度Ｖを最大値の１．０とすることにより（Ｈ、Ｓ”、Ｖ）を（Ｈ、Ｓ”、Ｖ’）に変換する。これにより、変換後の色（Ｈ、Ｓ”、Ｖ’）は、変換前の色に対して明るくかつほぼ無彩色となる。画像信号処理部４１０は、このような処理を各画素Ｐについて行う。
次に、画像信号処理部４１０は、各画素Ｐについて、（Ｈ、Ｓ”、Ｖ’）を（Ｒ、Ｇ、Ｂ）に変換する。これにより、画像信号Ｉに対して、画像表示領域Ｓ１の各画素Ｐの輝度が伸長された画像信号Ｉ’が生成される。
【００６１】
以上のような変換の一例を挙げると、例えば、Ｒ、Ｇ、Ｂ各８ビット（０〜２５５）の場合であって、（Ｒ、Ｇ、Ｂ）＝（１１、２５、２０）で表される色は、γ＝１のγ補正を行った場合には、（Ｒ、Ｇ、Ｂ）＝（２４１、２５５、２００）で表される色、具体的には、白に近いライトグリーン（ほぼ無彩色）となる。このような処理によれば、実際には彩度Ｓを変換しているが、その彩度Ｓの変換が視認され難い色となり、自然な色となる。
【００６２】
このように生成された画像信号Ｉ’をプロジェクター３００に送信し、プロジェクター３００によって、画像信号Ｉ’に対応する画像Ｇを画像表示領域Ｓ１に表示すると、無彩色に近く暗い低輝度領域ＳＬＯＷと、無彩色に近く明るい輪郭線Ｌ１とが隣り合うため、低輝度領域ＳＬＯＷと輪郭線Ｌ１とのコントラストを高めることによって、より鮮明に低輝度領域ＳＬＯＷを認識させることができる。また、輪郭線Ｌ１が無彩色に近い色となるため、低輝度領域ＳＬＯＷとの境界が自然なものとなり、全体として違和感のない自然な画像Ｇとなる。そのため、前述した第１実施形態と同様に、このように、画像表示システム１００によれば、優れた品質を有する画像をスクリーン２に表示することができる。
【００６３】
このような第３実施形態によれば、前述した第２実施形態に比べて、さらに元画像（画像信号Ｉに対応する画像）の色相的印象を損ねることがない。これにより、元画像に対して自然な印象を維持しつつ、外周部に存在する低輝度領域ＳＬＯＷのコントラストを高めることができる。
なお、以上のような処理は、特に限定されないが、明度Ｖが０．５未満である色の場合に特に有効である。
このような第３実施形態によっても、第１実施形態と同様の効果を発揮することができる。
【００６４】
＜第４実施形態＞
次に、本発明の画像表示システムの第４実施形態について説明する。
図８は、本発明の第４実施形態にかかる画像表示システムが有するスクリーンの断面図、図９は、図８に示すスクリーンに画像を表示した状態を示す平面図である。
以下、第４実施形態の画像表示システムについて、前述した実施形態との相違点を中心に説明し、同様の事項については、その説明を省略する。
本発明の第４実施形態にかかる画像表示システムは、スクリーンの構成が異なる以外は、前述した第１実施形態と同様である。なお、前述した第１実施形態と同様の構成には、同一符号を付してある。
【００６５】
図８に示すように、本実施形態のスクリーン２では、透明電極２３が行列状に分割されている。このようなスクリーン２では、透明電極２２と１つの透明電極２３とが重なる領域が１画素を構成し、アクティブマトリックス回路等を用いて画素ごとに電圧印加を制御することができる。すなわち、画素ごとに透過状態／散乱状態を切り替えることができる。画素数（透明電極２３の数）は、特に限定されず、横×縦を２×２としてもよい。また、横×縦を８００×６００とするなど、プロジェクター３００の画素と等しくしてもよい。
【００６６】
このようなスクリーン２では、画素ごとに透過状態／散乱状態を選択することができるため、画像表示領域Ｓ１内にて散乱状態の領域（輪郭形状）を自由に変更させることができる。そのため、図９に示すように、プロジェクター３００により表示される画像Ｇの輪郭に対して、散乱状態の領域Ｓ１１の輪郭を一致させることができる。このように、画像Ｇの輪郭に散乱状態の領域Ｓ１１の輪郭を一致させることにより、画像Ｇの周囲は、非画像表示領域Ｓ２も含めて透過状態の領域となる。これにより、前述した第１と同様の効果を発揮することができる。また、散乱状態の領域を変化させることができる点で、前述した第１実施形態のスクリーン２よりも利便性の高いものとなる。
【００６７】
＜第５実施形態＞
次に、本発明の画像表示システムの第５実施形態について説明する。
図１０は、本発明の第５実施形態にかかる画像表示システムの平面図（概略図）である。
以下、第５実施形態の画像表示システムについて、前述した実施形態との相違点を中心に説明し、同様の事項については、その説明を省略する。
本発明の第５実施形態にかかる画像表示システムは、制御部がスクリーンに組み込まれている以外は、前述した第１実施形態と同様である。なお、前述した第１実施形態と同様の構成には、同一符号を付してある。
【００６８】
図１０に示すように、本実施形態の画像表示システム１００’は、スクリーン（本発明のスクリーン）２’と、スクリーン２’に画像を投射するプロジェクター３００とを有している。また、スクリーン２’には、スクリーン２’およびプロジェクター３００の駆動を制御する制御部４００が内蔵されている。このような構成の画像表示システム１００’の作動は、前述した第１、第２および第３実施形態と同様であるため、その説明を省略する。
【００６９】
本実施形態の画像表示システム１００’によれば、スクリーン２’に制御部４００が内蔵されているため、例えば、前述した第１実施形態と比較して、画像表示システム１００’の設置スペースを小さくすることができる。
なお、スクリーン２’には、画像信号処理部４１０が内蔵されていればよく、例えばスクリーン制御部４２０は、内蔵されていなくてもよい。この場合、スクリーン制御部４２０は、スクリーン２’と別体として設けられている。
【００７０】
＜第６実施形態＞
次に、本発明の画像表示システムの第６実施形態について説明する。
図１１は、本発明の第６実施形態にかかる画像表示システムの平面図（概略図）である。
以下、第６実施形態の画像表示システムについて、前述した実施形態との相違点を中心に説明し、同様の事項については、その説明を省略する。
本発明の第６実施形態にかかる画像表示システムは、制御部がプロジェクターに組み込まれている以外は、前述した第１実施形態と同様である。なお、前述した第１実施形態と同様の構成には、同一符号を付してある。
【００７１】
図１１に示すように、本実施形態の画像表示システム１００”は、スクリーン２と、スクリーン２に画像を投射するプロジェクター（本発明のプロジェクター）３００”とを有している。また、プロジェクター３００”には、プロジェクター３００”およびスクリーン２の駆動を制御する制御部４００が内蔵されている。このような構成の画像表示システム１００’の作動は、前述した第１、第２および第３実施形態と同様であるため、その説明を省略する。
【００７２】
本実施形態の画像表示システム１００”によれば、プロジェクター３００”に制御部４００が内蔵されているため、例えば、前述した第１実施形態と比較して、画像表示システム１００’の設置スペースを小さくすることができる。
なお、プロジェクター３００”には、画像信号処理部４１０が内蔵されていればよく、例えばスクリーン制御部４２０は、内蔵されていなくてもよい。この場合、スクリーン制御部４２０は、プロジェクター３００”と別体として設けられている。
【００７３】
以上、本発明の画像表示システム、制御装置、プロジェクターおよびスクリーンについて、図示の実施形態に基づいて説明したが、本発明の画像表示システム、制御装置、プロジェクターおよびスクリーンは、それぞれ、これに限定されるものではなく、各部の構成は、同様の機能を有する任意の構成のものに置換することができる。また、本発明に、他の任意の構成物が付加されていてもよい。また、前述した各実施形態を適宜組み合わせてもよい。
【００７４】
また、前述した第２、第３実施形態では、明度Ｖを最大の１．０に変換する処理を行っているが、明度Ｖの値は、１．０に限定されず、例えば、０．９以上であってもよい。明度０．９以上とすれば、十分に上述した効果を発揮することができる。
また、前述した第２、第３実施形態の処理方法を、１つの画像の中で組み合わせてもよい。すなわち、画像の外周部に位置する複数の画素Ｐのうち、明度Ｖが０．５以上の画素については、第２実施形態の処理を行い、明度Ｖが０．５未満の画素については、第３実施形態の処理を行ってもよい。このような処理によれば、例えば、第３実施形態の処理と比較して処理時間が短縮される効果を期待できる。
【００７５】
また、前述した実施形態では、リバース型のスクリーンを用いたが、ノーマル型のスクリーン、すなわち、電圧非印加状態において散乱状態となり、電圧印加状態において透過状態となるスクリーンを用いてもよい。また、画像表示領域にて散乱状態と透過状態とを切り替えることができれば、高分子分散型液晶を用いたスクリーンでなくてもよく、例えば、ダイナミックスキャッタリング型の液晶を用いたスクリーンであってもよい。
【符号の説明】
【００７６】
１００、１００’、１００”……画像表示システム  ２、２’……スクリーン  ２０…透明基板  ２１…透明基板  ２２…透明電極  ２３…透明電極  ２４１、２４２…配向膜  ２５…液晶層  ２５１……ＰＤＬＣ  ２５２……高分子部  ２５３……液晶部  ２９……封止部  ３００、３００”……プロジェクター  ３１０……照明光学系  ３１１……光源  ３１２……リフレクタ  ３１３……レンズアレイ  ３１４……レンズアレイ  ３１５……偏光変換素子  ３１６……重畳レンズ  ３２０……色分離光学系  ３２１……Ｂ光反射ダイクロイックミラー  ３２２……ＲＧ光反射ダイクロイックミラー  ３２３……Ｇ光反射ダイクロイックミラー  ３２４……反射ミラー  ３２５……反射ミラー  ３３０Ｂ……平行化レンズ  ３３０Ｇ……平行化レンズ  ３３０Ｒ……平行化レンズ  ３４０Ｂ……空間光変調装置  ３４０Ｇ……空間光変調装置  ３４０Ｒ……空間光変調装置  ３５０……クロスダイクロイックプリズム  ３５０Ｂ……入射面  ３５０Ｇ……入射面  ３５０Ｒ……入射面  ３５１……誘電体多層膜  ３５２……誘電体多層膜  ３６０……投写光学部  ３６１……反射ミラー  ３６２……反射ミラー  ３６３……反射ミラー  ４００……制御部  ４１０……画像信号処理部  ４２０……スクリーン制御部  ５００……パーソナルコンピューター  Ｓ１……画像表示領域  Ｓ２……非画像表示領域  Ｓ１１……散乱状態の領域  ＳＬＯＷ……低輝度領域  Ｌ……映像光  Ｌ１……輪郭線  Ｇ……画像
【図１】
2013160839.tif 000003
【図２】
2013160839.tif 000004
【図３】
2013160839.tif 000005
【図４】
2013160839.tif 000006
【図５】
2013160839.tif 000007
【図６】
2013160839.tif 000008
【図７】
2013160839.tif 000009
【図８】
2013160839.tif 000010
【図９】
2013160839.tif 000011
【図１０】
2013160839.tif 000012
【図１１】
2013160839.tif 000013